(57)【特許請求の範囲】
【請求項１】
（ａ）上ナックルがその端縁に形成される上部取付板と、
（ｂ）下ナックルがその端縁に形成される下部取付板と、
（ｃ）前記下ナックルの内部に配設され、前記下ナックルに対して相対的に前後方向に水平移動できるように、前記下ナックルに固着された下部軸案内ピンによって案内され、前記下ナックルに対して左右方向にのびる溝が形成された上端軸受部を有してなる下部軸と、
（ｄ）前記下ナックルの内部に配設され、下端軸部が、前記左右方向における水平移動および前記前後方向における揺動ができるように、前記下部軸の溝に係合され、上端軸部が、前記前後方向における揺動ができるように、前記上ナックル内部に係合されてなる上部軸と、
（ｅ）前記下部軸において、前記前後方向に貫通するよう穿設されたネジ孔に螺入される前後位置調整ネジと、
（ｆ）前記上部軸において、前記左右方向に貫通するよう穿設されたネジ孔に螺入される左右位置調整ネジと、
（ｇ）前記上ナックルに上方から螺入され、先端が前記上部軸の上端軸部に上方から当接された上下位置調整ネジとからなり、
前記上部軸が前記左右位置調整ネジによって回転自在に支持されてなる蝶番。
【請求項２】
前記上ナックルを、その内部で移動可能に収納しうるキャップを、前記上ナックルの外周に設けてなる請求項１記載の蝶番。
【請求項３】
前記上部軸の下端軸部の先端が略球面状である請求項１または２記載の蝶番。
【請求項４】
前記上部軸の上端軸部の先端が略球面状である請求項１、２または３記載の蝶番。
【請求項５】
前記上部軸の上端軸部の最大直径が前記上ナックルの内径にほぼ等しく、かつ少なくとも上端軸部の最大直径の部分およびその周辺部分が略球面状に形成されてなる請求項１、２、３または４記載の蝶番。
【発明の詳細な説明】
【０００１】
【発明の属する技術分野】
本発明は蝶番に関する。さらに詳しくは扉、窓その他の開閉されるものを枠などの固定部材に取り付けるための蝶番に関する。
【０００２】
【従来の技術および発明が解決しようとする課題】
従来より、図５に示されるような蝶番１５０が一般的に使用されている。この蝶番１５０は、それぞれの端縁に略円筒状のナックル１５３、１５４が形成されている２枚の取付板１５１、１５２と、それぞれのナックル１５３、１５４を貫いて挿入され、その両端頭部１５６がかしめられて２枚の取付板１５１、１５２を回転自在に支持する軸ピン１５５とからなる。１５７は取付孔である。
【０００３】
この蝶番１５０を用いて、図６および図７に示されるように扉Ｄを建具枠Ｆなどに取りつけたばあい、扉Ｄが建具枠Ｆの内部にきちんと納まらず、建具枠Ｆとのあいだの心合せが狂うことがある。
【０００４】
このばあい、図７に示されるように建具枠Ｆとのあいだの隙間が不ぞろいになり不体裁であるばかりでなく、扉Ｄの開閉に支障が生ずるという問題がある。
【０００５】
しかも、前述のような従来の蝶番１５０では、心合せの狂いを調節できないので、いったん扉Ｄを取りつけた後は、心合せの修正ができないという問題がある。
【０００６】
そこで、図８に示されるような、蝶番１６０が提案されている。この蝶番１６０は、矢印１６１および矢印１６２方向の心合わせの修正が可能である。
【０００７】
すなわち、図８において、一方の取付板１７１のナックル１７３の底端には、擬宝珠１７６がピン１７７で固定されている。このナックル１７３には、２本のねじ棒１７８、１７９がナックル１７３の軸方向に間隔をおき、かつ半径方向に貫通するように取りつけられている。そして、各ねじ棒１７８、１７９は、ナックル１７３から抜けることなく、しかも回転自在に取り付けられている。
【０００８】
軸ピン１８０は下端部１８１と上端部１８２とからなり、下端部１８１はナックル１７３に挿入されている。この下端部１８１は、その外径がナックル１７３の内径よりも細く、ナックル１７３の内部で半径方向に動く余地がある。そして、この下端部１８１は、前記ねじ棒１７８、１７９に螺合されて、支持されている。
【０００９】
軸ピン１８０の上端部１８２には、他方の取付板１７２のナックル１７４が挿入されている。このナックル１７４の上端には、擬宝珠１８３が固定されており、その内部には雌ねじ部１８４が形成されている。そして、雌ねじ部１８４には調節ねじ１８５が螺合されている。この調節ねじ１８５は、ねじ込めばナックル１７４内へ進入し、ねじ戻せばナックル１７４内から上昇する。そして、調節ねじ１８５の先端は、滑り板１８６を介して軸ピン１８０の上端に当接している。
【００１０】
この蝶番１６０は、取付孔１７５にビスを通して建具枠と扉に固定した後で、心合せを行うことができる。
【００１１】
すなわち、ねじ棒１７８、１７９を回転させれば、軸ピン１８０の下端部１８１をナックル１７３内で、そして、中心位置から偏寄させたり、また中心位置に戻したりすることができる。そして、ねじ棒１７８、１７９を互いに反対向きに回転させて、軸ピン１８０の軸心をナックル１７３に対して傾斜させることもできる。この操作により、建具枠Ｆに取りつけられた扉Ｄの上端部または下端部（図７参照）の横方向（図８の矢印１６２の方向）の心ズレを修正しうる。
【００１２】
つぎに、調整ねじ１８５をねじ込めば、調整ねじ１８５の先端が軸ピン１８０の上端に当接しているので、ナックル１７４が上昇する。逆に調整ねじ１８５をねじ戻せば、ナックル１７４が下降する。これにより、取付板１７２が上昇および下降するので、扉Ｄの高さ方向の心ズレを修正することができる。
【００１３】
この蝶番１６０によれば、扉などを建具枠に取りつけたのちに、扉と建具枠間の心合せを調整しうるので、不体裁な隙間の狂いなどを解消することができる。
【００１４】
しかしながら、図８に示されるような蝶番１６０であっても、調整しうる方向が矢印１６１、１６２を含む平面内に限られており、矢印１６３方向の調整はできず、微妙な調整をすることができないという問題を残していた。
【００１５】
また、他の従来の蝶番として、実願昭５７−１７６２９３号（実開昭５９−８００６４号）において開示される蝶番がある。
【００１６】
この蝶番は、図９〜１０に示されるように、２枚の板体２０１、２０２と、当該両板体２０１、２０２を回転可能に結合するために下側の板体２０１に取り付けられた軸２０３と、前記上側の板体２０２に取り付けられ、かつ前記軸２０３を下方より回転自在に嵌合させるための孔２０４を有する金具２０５とからなっている。なお、２０６はボール、２０７はガイドピンである。また、板体２０１の張り出し部２０１ａは、軸２０３の下端に連結された２枚の板部２１０のあいだに遊嵌され、ボルト２０８に螺合されている。
【００１７】
図９〜１０の蝶番のばあい、ボルト２０８を回転させることにより、板体２０１を前後方向（図１０の矢印２２１の方向）に移動させて前後方向における蝶番の調整をすることができる。また、金具２０５上部の雌ネジ孔２１１に螺入された雄ネジ軸２０９をねじ回すことにより、板体２０２を上下方向（図９の矢印２２２の方向）に移動させて上下方向における蝶番の調整をすることができる。しかしながら、板体２０１または２０２を左右方向（図９の矢印２２３の方向）に移動させて左右方向における蝶番の調整をすることができないため、正確な扉の心合せを達成することができない。
【００１８】
本発明はかかる事情に鑑み、扉を取り付けたのちに取り付けの心合せを、３次元方向に自在に調整しうる蝶番を提供することを目的とする。
【００１９】
【課題を解決するための手段】
本発明の蝶番は、（ａ）上ナックルがその端縁に形成される上部取付板と、
（ｂ）下ナックルがその端縁に形成される下部取付板と、
（ｃ）前記下ナックルの内部に配設され、前記下ナックルに対して相対的に前後方向に水平移動できるように、前記下ナックルに固着された下部軸案内ピンによって案内され、前記下ナックルに対して左右方向にのびる溝が形成された上端軸受部を有してなる下部軸と、
（ｄ）前記下ナックルの内部に配設され、下端軸部が、前記左右方向における水平移動および前記前後方向における揺動ができるように、前記下部軸の溝に係合され、上端軸部が、前記前後方向における揺動ができるように、前記上ナックル内部に係合されてなる上部軸と、
（ｅ）前記下部軸において、前記前後方向に貫通するよう穿設されたネジ孔に螺入される前後位置調整ネジと、
（ｆ）前記上部軸において、前記左右方向に貫通するよう穿設されたネジ孔に螺入される左右位置調整ネジと、
（ｇ）前記上ナックルに上方から螺入され、先端が前記上部軸の上端軸部に上方から当接された上下位置調整ネジとからなり、
前記上部軸が前記左右位置調整ネジによって回転自在に支持されてなることを特徴としている。
【００２０】
前記上ナックルを、その内部で移動可能に収納しうるキャップを、前記上ナックルの外周に設けてなるのが好ましい。
【００２１】
前記上部軸の下端軸部の先端が略球面状であるのが好ましい。
【００２２】
前記上部軸の上端軸部の先端が略球面状であるのが好ましい。
【００２３】
前記上部軸の上端軸部の最大直径が前記上ナックルの内径にほぼ等しく、かつ少なくとも上端軸部の最大直径の部分およびその周辺部分が略球面状に形成されてなるのが好ましい。
【００２４】
本発明の蝶番によれば、３つの調整ネジを順逆いずれかに回すことにより、上部取付板および下部取付板を互いに相対的に３方向（左右、前後、上下）に移動させ、その結果、蝶番の調整をすることができる。そのため、扉を建具枠に取り付けたのちに正確に心合せすることができる。
【００２５】
具体的には、下部軸と下ナックルとのあいだ、上部軸と下ナックルとのあいだ、および上部軸と上ナックルとのあいだの相対的移動によって蝶番の３方向の調整をすることができる。
【００２６】
左右方向の調整は、左右位置調整ネジの回転によって、上部軸の下端軸部が下部軸の上端軸受部に形成された溝によって正確に案内されながら、上部軸が前記下ナックルに対して相対的に左右方向に水平移動することにより達成される。
【００２７】
また、前後方向の調整は、前後位置調整ネジの回転によって、下部軸が下部軸案内ピンによって正確に案内されながら前記下ナックルに対して相対的に前後方向に水平移動する。それにより、上部軸の下端軸部が前記下部軸の溝に対して相対的に前後方向（すなわち、溝ののびる方向と直角の方向）へ揺動される。それとともに上部軸は、前記左右位置調整ネジを回転中心として、回転する。このとき、上部軸の上端軸部が、上ナックル内部で相対的に前後方向へ揺動する。その結果、上ナックルを前記下ナックルに対して相対的に前後方向へ水平移動させることができる。
【００２８】
さらに、上下方向の調整は、上下位置調整ネジの回転によって、前記上ナックル内部の上部軸の上端軸部が下方向に押圧され、それにより、上ナックルと上部軸とのあいだで相対的な上下移動が行なわれることにより達成される。
【００２９】
【発明の実施の形態】
以下、添付図面を参照しながら本発明の蝶番を詳細に説明する。図１は本発明の蝶番の一実施例を示す１組の蝶番を扉に取り付けた例を示す斜視説明図、図２は図１の蝶番の斜視説明図、図３は図２の蝶番のIII−III線断面図および図４は図２の上部軸および下部軸の係合状態を示す斜視説明図である。
【００３０】
図１において、３方向の調整が可能な本実施例の蝶番１を１組用いて扉Ｄを建具枠Ｆに取り付けた状態が示されている。なお、図１では、わかり易くするために蝶番を誇張するとともに取付板を扉の片面に取り付けて描いている。
【００３１】
図１の扉Ｄの取付例では、扉Ｄが上下にガタつかないように、扉上部の蝶番１が扉下部の蝶番１に対して天地逆になるように取り付けられている。なお、上下の蝶番１を同じ向きになるように取り付けてもよい。
【００３２】
図２は図１の扉下部用の蝶番１に対応するものであり、キャップ３０を有する蝶番１が示されている。キャップ３０は、上ナックル７を内包するものである。上部取付板５は、扉側に取り付けられ、下部取付板４は、取付枠側に取り付けられる。キャップ３０は、下端内周縁に設けられた凸部７０（図３参照）が保持シリンダ７１の上端外周縁に突設されたつば部７２に対して回転可能に嵌着されており、上部取付板５の回動に従って回動する。保持シリンダ７１は、下ナックル６に対して回転したり、または抜けないように、ピン７３によって固着されている。
【００３３】
なお、図示されていないが、下ナックル６の外周を覆うように、さらにキャップを設けてもよい。
【００３４】
蝶番１は、図２および図３に示されるように、下部２および上部３からなる。また、下部２は、下部取付板４と、取付板４の端縁に設けられた下ナックル６と、下ナックル６内に配設された部材、すなわち、下部軸８、前後位置調整ネジ９、下部軸案内ピン１０、左右位置調整ネジ１２および上部軸１６とから構成されている。上部３は、上部取付板５と、取付板５の端縁に設けられた上ナックル７と、上ナックル７内に配設された上下位置調整ネジ１３とから構成されている。上部３および下部２の各部材は、鉄、ステンレス、アルミニウム、真ちゅうなどの金属から製造されることが、強度が確保できるという点から好ましい。
【００３５】
下部軸８は、たとえば、図４に示されるような前記下ナックル６に対して左右方向（図２および図４の矢印３４参照）を長軸とする楕円形断面を呈する部材である。下部軸８の上端軸受部８ａには前記左右方向（矢印３４参照）にのびる溝８ｂが形成されている。下部軸８は、前記下ナックル６に対して相対的に前後方向（図２〜４の矢印３５参照）に水平移動できるように後述する下部軸案内ピン１０によって案内されている。
【００３６】
下部軸案内ピン１０は、下部軸８を前後方向（矢印３５参照）に案内するために下部軸８の孔８ｃに挿通されたピンであり、前記前後位置調整ネジ９の上方および下方において当該ネジ９と平行に１本づつのびている。下部軸案内ピン１０は、その両端部が下ナックル６に固着されている。
【００３７】
上部軸１６は、後述する左右位置調整ネジ１２によって回転自在に支持されている（図３参照）。また、上部軸１６は、上下両端が前記前後方向（矢印３５参照）に揺動自在になっている。
【００３８】
すなわち、下端軸部１６ｂは、図４に示されるように、前記左右方向（矢印３４参照）における水平移動および前記前後方向（矢印３５参照）における揺動の両方ができるように、前記下部軸８の前記左右方向（矢印３４参照）にのびる溝８ｂに係合している。また、上端軸部１６ｃは、図３に示されるように、前記前後方向（矢印３５参照）に揺動できるように、前記上ナックル７内部に係合されている。
【００３９】
下端軸部１６ｂの先端は、略球面状であるため、下端軸部１６ｂは溝８ｂ内部で円滑に水平移動および揺動を行なうことができる。
【００４０】
上部軸１６の上端軸部１６ｃは、前記上ナックル７の内部で揺動できるような形状を呈している。
【００４１】
たとえば、上端軸部１６ｃが前記上ナックル７の内部でがたつくことなく円滑に揺動できるように、図３〜４に示されるように、前記上部軸１６の上端軸部１６ｃの最大直径Ｄｍが前記上ナックル７の内径ｄにほぼ等しく、かつ少なくとも上端軸部１６ｃの最大直径Ｄｍの部分およびその周辺部分の領域Ａが略球面状に形成されているのが好ましい。
【００４２】
また、上端軸部１６ｃの他の形状として、たとえば、ほぼ中間位置が最大直径であり、上端および下端に向かうにつれて直径が小さくなるような紡錘状などの形状を採用してもよい。
【００４３】
さらに、図３〜４に示されるように、上端軸部１６ｃの先端に略球面状の突出部１６ｄが設けられているため、上端軸部１６ｃと滑り板３３（滑り板３３がないばあいには上下位置調整ネジ１３）とのあいだの接触面積が小さくなるとともに摩擦抵抗が小さくなるため、上ナックル７を円滑に回転を行なうことができる。
【００４４】
また、図３〜４に示されるように、上端軸部１６ｃの根元部分において、前記上ナックル７の内径ｄよりも大きい外径を有するストッパ部１６ｅが設けられているため、後述する上下位置調整ネジ１３を回転させ過ぎたばあいでも、上ナックル７はストッパ部１６ｅに係止されるため、上ナックル７を下降させすぎる不具合がない。
【００４５】
左右位置調整ネジ１２は、図２〜３に示されるように、前記上部軸１６において、前記左右方向（矢印３４参照）に貫通するように穿設されたネジ孔１６ａに螺入されている。前記ネジ１２の先端（図示せず）は、下ナックル６または保持シリンダ７１の内面に当接している。前記ネジ１２の後端１２ｄは、六角レンチまたはねじ回しなどを用いて回転できるように六角形などの穴または十字形などの溝が形成されている。前記後端１２ｄは、下ナックル６の丸孔６ａを通して外部に露出している。したがって、左右位置調整ネジ１２の回転操作を外部から容易に行なうことができる。また、左右位置調整ネジ１２のおねじ部１２ｅ（図３参照）の外径が前記下ナックル６の丸孔６ａ（図２参照）の内径よりも大きいため、左右位置調整ネジ１２は外部に抜け落ちない。
【００４６】
前後位置調整ネジ９は、図２〜３に示されるように、前記下部軸８において、前記前後方向（矢印３５参照）に貫通するように穿設されたネジ孔８ｄに螺入されている。前記前後位置調整ネジ９の先端９ａ（図３参照）は、下ナックル６の丸孔６ｂ（図３参照）を通して外部に露出している。前記左右位置調整ネジ１２と同様に、六角形などの穴または十字形の溝が形成された前後位置調整ネジ９の後端９ｂは、下ナックル６の丸孔６ｃを通して外部に露出している。また、前後位置調整ネジ９の直径が丸孔６ｂおよび６ｃの内径よりも大きいため、前後位置調整ネジ９が外部に抜け落ちない。
【００４７】
上下位置調整ネジ１３は、図３に示されるように、上ナックル７を上下方向に貫通するように穿設されたネジ孔７ａに螺入されている。上下位置調整ネジ１３の先端１３ａは、前記上部軸１６の上端軸部１６ｃに上方から滑り板３３を介して当接している。また、六角形などの穴または十字形の溝が形成された上下位置調整ネジ１３の後端１３ｂは前記ネジ孔７ａを通して上ナックル７の上面から露出しているため、キャップ３０を取り付ける前に上下位置調整ネジ１３を回転操作して取付板５の高さ調整をすることができる。
【００４８】
本実施例では、図３に示されるように、ネジ１３の先端１３ａと上端軸部１６ｃとのあいだに滑り板３３が配設されているため、上ナックル７の回転を円滑に行なうことができる。なお、本発明では滑り板３３についてとくに限定されるものではなく、滑り板３３を省略して前記先端１３ａと上端軸部１６ｃとを直接当接させてもよい。
【００４９】
以上のように構成された蝶番１は以下のようにして蝶番の調整を行なう。
【００５０】
左右方向の調整を行なうばあい、図２〜４に示されるように、六角レンチなどを用いて左右位置調整ネジ１２を回転させる。このとき、左右位置調整ネジ１２は、両端が下ナックル６の内面によって拘束されているため回転するのみで移動できない。上部軸１６は、図４に示されるように、下端軸部１６ｂが下部軸８の上端軸受部８ａの溝８ｂによって正確に案内されながら前記上ナックル７に対して相対的に左右方向（図２および図４の矢印３４参照）に水平移動する。その結果、蝶番は正確に左右方向の調整をすることができる。
【００５１】
前後方向の調整を行なうばあい、図２〜４に示されるように、前述と同様に前後位置調整ネジ９を回転させる。このとき、前後位置調整ネジ９は、両端が下ナックル６の内面によって拘束されているため、回転するのみで移動できない。下部軸８は下部軸案内ピン１０によって、正確に案内されながら、前記下ナックル６に対して相対的に前後方向（図２〜４の矢印３５参照）に水平移動する。
【００５２】
下部軸８が前後方向（矢印３５参照）に水平移動すれば、前記下端軸部１６ｂが前記溝８ｂに対して相対的に前後方向（矢印３５参照）へ揺動される。それとともに上部軸１６は、前記左右位置調整ネジ１２を回転中心として、回転する。このとき、上端軸部１６ｃが、上ナックル７内部で相対的に前後方向（矢印３５参照）へ移動することにより、上ナックル７を前記下ナックル６に対して相対的に前後方向（矢印３５参照）へ水平移動させることができる。その結果、蝶番は、正確に前後方向の調整をすることができる。
【００５３】
上下方向の調整を行なうばあい、六角レンチなどを用いて上下位置調整ネジ１３を回転させ、所望の量だけ上ナックル７内部を上昇または下降させる。このとき、上部軸１６が上下位置調整ネジ１３の先端１３ａによって下方向に押圧される。それにより、上ナックル７と上部軸１６とのあいだで相対的な上下移動が行なわれる。
【００５４】
以上のごとく構成された本実施例の蝶番１は、図１のように扉Ｄの上下両方に取り付けて用いることができるため、蝶番の共通化が可能になる。
【００５５】
図１のように、扉下部および扉上部に取り付けられる蝶番１を互いに前記上下位置調整ネジ１３（図２参照）が対向するように天地逆に設けたばあい、扉Ｄの上下方向の調整ののち、前記ネジ１３によって、扉Ｄを上下から押圧することにより、扉Ｄのがたつきをさらに防止できる。
【００５６】
また、本実施例では、下部軸案内ピン１０が２本設けられた例が示されているが、本発明はこれに限定されるものではなく、それぞれ少なくとも１本のピンがあれば、前述のガイド効果を奏することができる。また、３本以上のピンをそれぞれ設けてもよい。
【００５７】
また、蝶番１は、キャップ３０を有しており、上ナックル７を完全に収納し、継ぎ目を隠すため、外観を美しくすることができる。このキャップ３０は、ＡＢＳなどの合成樹脂製であることが弾力性、加工性およびコストの点から好ましい。
【００５８】
さらに、図示されていないが、下ナックル６を覆うキャップを設ければ、外観がより美しくなる。
【００５９】
キャップ３０は、当該キャップ３０の内径が上ナックル７の外径よりも大きくなるように設計されている。そのため、３次元の調整を行なったあと、上ナックル７の軸と、下ナックル６の軸がずれていても、キャップ３０内でこれを吸収し、外部からはそのようなずれを見ることができない。なお、キャップ３０には、上部取付板５を貫通させるための切欠３０ａ（図３参照）が形成されている。
【００６０】
また、左右位置調整ネジ１２または前後位置調整ネジ９を両端のいずれからでも回転操作できるように、それぞれのネジの両端面に六角形の穴または十字形の溝などを形成するのが好ましい。
【００６１】
また、図示しないが、図２の下ナックル６の丸孔６ａ、６ｃおよび上ナックル７のネジ孔７ａのまわりに、それぞれ、前記ネジ９、１２、１３を回動させる六角レンチ（図示せず）の回転方向と、上下取付板４、５の調整方向との関係を示す矢印などのマークを設けるのが好ましい。それぞれのネジに対応して、丸孔６ｃのまわりに設けられる矢印には、「前」および「後」を、丸孔６ａのまわりに設けられる矢印には、「左」および「右」を、ネジ孔７ａのまわりに設けられる矢印には、「上」および「下」をそれぞれ付しておくことが好ましい。
【００６２】
【発明の効果】
本発明の蝶番は、３つの調整ネジによって３方向に調整が可能である。したがって、扉を取り付けたあとに、取付の心合わせを３次元方向に行うことができ、正確な調整を行うことができる。そして、取付後の見た目が綺麗であるとともに、扉の開閉をスムーズにすることができる。
【００６３】
また、本発明の蝶番は、３方向の調整のうちの２方向（左右および前後）の調整については、ネジによる２方向からの付勢力を１本の上部軸を介して上ナックルに伝達するように構成されている。したがって、部品点数が少なくてすみ、かつ蝶番全体の小型化を達成することができる。
【００６４】
しかもキャップを被せることにより、ナックル部分に異物が挟まるのを防ぐことができ、仕上がりも美しくなる。
【００６５】
なお、本発明の蝶番の上部取付板および下部取付板は、建具枠（柱など）および扉のいずれにも取り付け可能であり、現場の状況に応じて選定することができるものであって、本発明においてその取付部位がとくに限定されるものではない。さらに、上部取付板または下部取付板という名称にかかわらず、図示した姿勢とは上下に逆にして扉または柱などに取り付けることもできる。
【図面の簡単な説明】
【図１】本発明の蝶番の一実施例を示す１組の蝶番を扉に取り付けた一例を示す斜視説明図である。
【図２】図１の蝶番の斜視説明図である。
【図３】図２の蝶番のIII−III線断面図である。
【図４】図２の上部軸および下部軸の係合状態を示す斜視図である。
【図５】従来の蝶番の正面図である。
【図６】従来の蝶番の取付状態を示す扉の上面図である。
【図７】従来の蝶番の取付状態を示す正面図である。
【図８】従来の他の蝶番の一部断面斜視図である。
【図９】従来のさらに他の蝶番の縦断面図である。
【図１０】図９の蝶番のＸ−Ｘ線断面図である。
【符号の説明】
１  蝶番
４  下部取付板
５  上部取付板
６  下ナックル
７  上ナックル
８  下部軸
８ａ  上端軸受部
８ｂ  溝
９  前後位置調整ネジ
１０  下部軸案内ピン
１２  左右位置調整ネジ
１３  上下位置調整ネジ
１６  上部軸
１６ｂ  下端軸部
１６ｃ  上端軸部
【図１】
0003841920.tif 000002
【図２】
0003841920.tif 000003
【図３】
0003841920.tif 000004
【図４】
0003841920.tif 000005
【図５】
0003841920.tif 000006
【図６】
0003841920.tif 000007
【図７】
0003841920.tif 000008
【図８】
0003841920.tif 000009
【図９】
0003841920.tif 000010
【図１０】
0003841920.tif 000011